(57)【要約】【課題】加飾部の色やインストルメントパネル等の形状の制約を受けることなく、また、ガラス板に偏光フィルムを貼るなどの作業工程も要することなく、ガラス映りを防止できる車内用オーナメントを提供する。【解決手段】車内用オーナメントであって、加飾部２４とトップコート２８との間に、縞状の透明部分２６ａと不透明部分２６ｂとが交互、かつ、平行に配置された構成のルーバー層２６が設けられている。このルーバー層には、加飾部２４を視認できる可視領域Ａと、加飾部を視認できない非可視領域Ｂとがある。この非可視領域Ｂを、オーナメント本体２０が映り込むガラス板の位置に対応させている。【選択図】図３
2015217701.tif 000002
【特許請求の範囲】
【請求項１】
オーナメント本体における基材の表面に高輝度あるいは明るい色の加飾部が設けられ、この加飾部がトップコートで被われた構成の車内用オーナメントであって、
加飾部とトップコートとの間に、縞状の透明部分と不透明部分とが交互、かつ、平行に配置された構成のルーバー層が設けられ、このルーバー層には、その表面と直角な基準線から両側の所定角度までは透明部分を通じて加飾部を視認できる可視領域と、所定角度を超えると不透明部分に遮蔽されて加飾部を視認できない非可視領域とがあり、この非可視領域を、オーナメント本体が映り込むガラス板の位置に対応させている車内用オーナメント。
【発明の詳細な説明】
【技術分野】
【０００１】
本発明は、主として自動車における車内用オーナメントに関する。詳しくは加飾部がアルミやパールといった高輝度の素材、あるいは明るい色の素材からなり、窓や計器類のガラス板に映り込みやすい種類の車内用オーナメントに関する。
【背景技術】
【０００２】
窓などのガラス板に映り込む可能性のあるオーナメントについては、その生産準備段階において加飾部の色を調整し、あるいはオーナメントを装着するインストルメントパネル等の形状（意匠面の角度など）を選定している。また、フロントサイドドアのガラス板において、運転者がサイドミラーを見るときの視界内にオーナメントが映り込むと、サイドミラーに映る車外状況を把握しにくくなる。この対策として例えば特許文献１に記載されている技術では、フロントサイドドアの窓ガラスに偏光フィルムを貼ることにより、運転者がサイドミラーを見るときの視界内の窓ガラスに車内部材の像が映り込まないようにしている。
【先行技術文献】
【特許文献】
【０００３】
【特許文献１】特開２００６−２９００８１号公報
【発明の概要】
【発明が解決しようとする課題】
【０００４】
加飾部の色調整やインストルメントパネル等の形状を変更することで、窓などのガラス板にオーナメントが映り込むのを防止する場合、オーナメントのデザインが制約される。また、特許文献１に記載された技術においては、窓ガラスに偏光フィルムを貼るための作業工程を要する。
【０００５】
本発明は、このような課題を解決しようとするもので、その目的は、加飾部の色やインストルメントパネル等の形状の制約を受けることなく、また、ガラス板に偏光フィルムを貼るなどの作業工程も要することなく、ガラス映りを防止できる車内用オーナメントを提供することである。
【課題を解決するための手段】
【０００６】
本発明は、上記の目的を達成するためのもので、以下のように構成されている。
【０００７】
オーナメント本体における基材の表面に高輝度あるいは明るい色の加飾部が設けられ、この加飾部がトップコートで被われた構成の車内用オーナメントであって、加飾部とトップコートとの間に、縞状の透明部分と不透明部分とが交互、かつ、平行に配置された構成のルーバー層が設けられている。このルーバー層には、その表面と直角な基準線から両側の所定角度までは透明部分を通じて加飾部を視認できる可視領域と、所定角度を超えると不透明部分に遮蔽されて加飾部を視認できない非可視領域とがある。この非可視領域を、オーナメント本体が映り込むガラス板の位置に対応させている。
【発明の効果】
【０００８】
本発明によれば、オーナメント本体の加飾部が高輝度のメタリック等であっても、ルーバー層の非可視領域にある窓や計器類のガラス板にはオーナメント本体が暗い色で映り込むこととなる。これにより、例えばフロントサイドドアのガラス板において、運転者がサイドミラーを見るときの視界内ではオーナメント本体が暗い色で映り込むようにすれば、サイドミラーに映る車外状況の認識に支障をきたすことがない。この結果、フロントサイドドアのガラス板などにオーナメント本体が映り込むのを避けるための制約、すなわち加飾部の色やインストルメントパネル等の形状における制約が解消されるとともに、フロントサイドドアのガラス板に偏光フィルムを貼るなどの作業工程も不要となる。
【図面の簡単な説明】
【０００９】
【図１】車内における運転席側の一部を表した斜視図。
【図２】自動車の運転席側を平面視で表した概略図。
【図３】車内用オーナメントの構造を表した断面図。
【発明を実施するための形態】
【００１０】
以下、本発明を実施するための形態を、図面を用いて説明する。図１で示す運転席側のインストルメントパネル１０には、ステアリングホイール１２の右側にあるエア吹出し口１３の下側においてオーナメント本体２０が装着されている。このオーナメント本体２０は、例えば高輝度のメタリック仕様のデザインになっている。オーナメント本体２０は、これが装着されているインストルメントパネル１０の傾斜角度などにより、サイドドア１４のガラス板１６に対して図２で示す映り込み範囲Ｓで映り込むものとする。そして、この映り込み範囲Ｓは、運転者の視点Ｐからサイドミラー１８を見たときの視界内に位置しているものとする（図２）。
【００１１】
オーナメント本体２０は、樹脂製の基材２２に対して加飾部２４、ルーバー層２６およびトップコート２８が設けられた多層構造になっている（図３）。
【００１２】
加飾部２４は、基材２２の表面に設けられている。この加飾部２４は、アルミやパールといった高輝度のフィルム状素材、あるいは明るい色の本木やプリント柄のフィルム状素材、さらには基材２２の表面に明るい色の塗装を施すなど任意に選定することができる。なお、加飾部２４がフィルム状素材の場合、基材２２の表面に対して接着してもよく、または、予め金型内にセットされた加飾部２４に対して基材２２を射出によりインサート成形して相互を一体化してもよい。
【００１３】
ルーバー層２６は、加飾部２４の表面に設けられている。このルーバー層２６は、樹脂製の薄いフィルム（厚み100μm程度）であって、一般に「覗き見防止フィルム」と称されるものと同様の機能を有する。この機能を図３によって説明する。
【００１４】
ルーバー層２６は、その表裏面に沿った一方向（図３の紙面前後方向）に延びる縞状の透明部分２６ａと不透明部分２６ｂとが交互、かつ、平行に複数配置されている。これによってルーバー層２６には、その表面と直角な基準線Ｌから両側の所定角度までの可視領域Ａと、これらの所定角度を超えた非可視領域Ｂとがある。可視領域Ａは、各透明部分２６ａを通じて加飾部２４を視認できる領域であり、非可視領域Ｂは各不透明部分２６ｂに遮蔽されて加飾部２４を視認できない領域である。なお、可視領域Ａと非可視領域Ｂとの割合は、ルーバー層２６の設計次第で調整することができる。
【００１５】
トップコート２８は、ルーバー層２６の表面を被ったクリア層である。このトップコート２８とルーバー層２６とは、予め両者を一体化した二層のフィルムとしておき、それを加飾部２４の表面に接着するのが基本構造である。ただ、基材２２の色や材質によっては、その表面が加飾部２４を兼ねる場合がある。その場合には、ルーバー層２６とトップコート２８とを一体化したフィルムを金型内にセットした状態で、基材２２を射出によりインサート成形して相互を一体化することも可能である。
【００１６】
この実施の形態では、ルーバー層２６の非可視領域Ｂを、サイドドア１４のガラス板１６に対するオーナメント本体２０の映り込み範囲Ｓに対応させている。これにより、例えば高輝度の加飾部２４をもつオーナメント本体２０であっても、映り込み範囲Ｓにおいては加飾部２４がガラス板１６に映り込まず、オーナメント本体２０は暗い色の映り像となる。したがって、この映り込み範囲Ｓが運転者の視点Ｐからサイドミラー１８を見たときの視界内に位置していても、サイドミラー１８に映る車外状況の認識に支障をきたすことがない。
【００１７】
なお、インストルメントパネル１０の傾斜角度などによっては、オーナメント本体２０が計器類のガラス板やフロント窓のガラス板に映り込む場合もある。この場合においても、それぞれの映り込み範囲をルーバー層２６の非可視領域Ｂと対応させることで、オーナメント本体２０が暗い色で映り込むこととなる。また、助手席側のオーナメント本体（図示省略）についてもオーナメント本体２０と同様の対策をとることで、助手席側のサイドドアのガラス板に映り込むオーナメント本体の像が、サイドミラーの視認の妨げとならないようにできる。
【符号の説明】
【００１８】
１６ ガラス板
２０ オーナメント本体
２２ 基材
２４ 加飾部
２６ ルーバー層
２６ａ  透明部分
２６ｂ  不透明部分
２８ トップコート
Ａ     可視領域
Ｂ     非可視領域
Ｌ     基準線
【図１】
2015217701.tif 000003
【図２】
2015217701.tif 000004
【図３】
2015217701.tif 000005